(57)【特許請求の範囲】
【請求項１】
通信方法であって、
端末機器が下り制御シグナリングを復調し開始すると、前記端末機器が予め配置されたタイマーを起動させることと、
前記端末機器が前記タイマーのタイミング時間長範囲内に、予め配置された目標周波数領域モニタリングエリアで、高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるネットワーク機器から送信されたリソース占用指示情報をモニタリングすることとを含むことを特徴とする通信方法。
【請求項２】
前記方法はさらに、
前記端末機器が前記タイマーのトリガスレッショルドを配置するために用いられる前記ネットワーク機器から送信された第１指示情報を受信することを含むことを特徴とする請求項１に記載の方法。
【請求項３】
前記方法はさらに、
前記端末機器が前記タイマーのタイミング時間長を指示するために用いられる前記ネットワーク機器の第２指示情報を受信することを含むことを特徴とする請求項１又は請求項２に記載の方法。
【請求項４】
前記方法はさらに、
前記端末機器が前記目標周波数領域モニタリングエリアのシステム周波数領域リソースエリアにおける位置を指示するために用いられる前記ネットワーク機器から送信された第３指示情報を受信することを含むことを特徴とする請求項１から請求項３までのいずれか一項に記載の方法。
【請求項５】
前記方法はさらに、
前記端末機器が前記目標周波数領域モニタリングエリアで前記リソース占用指示情報をモニタリングした場合、前記端末機器が前記リソース占用指示情報に基づいて前記端末機器のｅＭＢＢリソース中で前記他のサービスに占用された第１リソースを確定することを含むことを特徴とする請求項１から請求項４までのいずれか一項に記載の方法。
【請求項６】
前記リソース占用指示情報はさらに、前記他のサービスのサービス情報を指示するために用いられ、前記方法はさらに、
前記端末機器が前記他のサービスのサービス情報に基づいて、前記第１リソース中で受信したｅＭＢＢサービスのデータを復調することを含むことを特徴とする請求項５に記載の方法。
【請求項７】
前記サービス情報は前記他のサービスのデータ伝送フォーマット、変調符号化方式、データ伝送のパワー情報のうちの少なくとも１種を含むことを特徴とする請求項６に記載の方法。
【請求項８】
前記リソース占用指示情報は前記他のサービスに占用されたリソースのあるエリアを指示するために用いられることを特徴とする請求項１から請求項７までのいずれか一項に記載の方法。
【請求項９】
前記リソース占用指示情報は前記他のサービスに占用されたリソースに含まれる時間周波数リソースブロックを指示するために用いられることを特徴とする請求項１から請求項７までのいずれか一項に記載の方法。
【請求項１０】
端末機器であって、
前記端末機器が下り制御シグナリングを復調し開始すると、予め配置されたタイマーを起動させるために用いられる処理モジュールと、
前記タイマーのタイミング時間長範囲内に、予め配置された目標周波数領域モニタリングエリアで、高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるネットワーク機器から送信されたリソース占用指示情報をモニタリングするために用いられる受信モジュールとを含むことを特徴とする端末機器。
【請求項１１】
前記受信モジューはさらに、
前記タイマーのトリガスレッショルドを配置するために用いられる前記ネットワーク機器から送信された第１指示情報を受信するために用いられることを特徴とする請求項１０に記載の端末機器。
【請求項１２】
前記受信モジュールはさらに、
前記タイマーのタイミング時間長を指示するために用いられる前記ネットワーク機器の第２指示情報を受信するために用いられることを特徴とする請求項１０又は請求項１１に記載の端末機器。
【請求項１３】
前記受信モジュールはさらに、
目標周波数領域モニタリングエリアのシステム周波数領域リソースエリアにおける位置を指示するために用いられる前記ネットワーク機器から送信された第３指示情報を受信するために用いられることを特徴とする請求項１０から請求項１２までのいずれか一項に記載の端末機器。
【請求項１４】
前記処理モジュールは具体的に、
前記目標周波数領域モニタリングエリアで前記リソース占用指示情報がモニタリングされた場合、前記リソース占用指示情報に基づいて、前記端末機器のｅＭＢＢリソース中で前記他のサービスに占用された第１リソースを確定するために用いられることを特徴とする請求項１０から請求項１３までのいずれか一項に記載の端末機器。
【請求項１５】
前記リソース占用指示情報はさらに、前記他のサービスのサービス情報を指示するために用いられ、前記処理モジュールはさらに、
前記他のサービスのサービス情報に基づいて、前記第１リソース中で受信したｅＭＢＢサービスのデータを復調するために用いられることを特徴とする請求項１４に記載の端末機器。
【請求項１６】
前記サービス情報は、前記他のサービスのデータ伝送フォーマット、変調符号化方式、データ伝送のパワー情報のうちの少なくとも１種を含むことを特徴とする請求項１５に記載の端末機器。
【請求項１７】
前記リソース占用指示情報は前記他のサービスに占用されたリソースのあるエリアを指示するために用いられることを特徴とする請求項１０から請求項１６までのいずれか一項に記載の端末機器。
【請求項１８】
前記リソース占用指示情報は前記他のサービスに占用されたリソースに含まれる時間周波数リソースブロックを指示するために用いられることを特徴とする請求項１０から請求項１６までのいずれか一項に記載の端末機器。
【請求項１９】
前記目標周波数領域モニタリングエリアは前記ｅＭＢＢリソースのあるリソースエリア外にあることを特徴とする請求項１０から請求項１８までのいずれか一項に記載の端末機器。
【請求項２０】
前記目標周波数領域モニタリングエリアは前記ｅＭＢＢリソースのあるリソースエリア内にあることを特徴とする請求項１０から請求項１８までのいずれか一項に記載の端末機器。
【請求項２１】
ネットワーク機器であって、
高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるリソース占用指示情報を確定するために用いられる処理モジュールと、
端末機器に予め配置されたタイマーのタイミング時間長範囲内に、目標周波数領域モニタリングエリアの周波数領域リソース上で、前記端末機器へ前記リソース占用指示情報を送信するために用いられる送信モジュールとを含み、
前記送信モジュールはさらに、前記端末機器が下り制御シグナリングを復調し開始することを前記タイマーのトリガスレッショルドとして指示するために用いられる第１指示情報を前記端末機器へ送信するために用いられることを特徴とするネットワーク機器。
【請求項２２】
前記送信モジュールはさらに、
前記端末機器へ前記タイマーのタイミング時間長を指示するために用いられる第２指示情報を送信するために用いられることを特徴とする請求項２１に記載のネットワーク機器。
【請求項２３】
前記送信モジュールはさらに、
前記端末機器へ前記目標周波数領域モニタリングエリアのシステム周波数領域リソースエリアにおける位置を指示するために用いられる第３指示情報を送信するために用いられることを特徴とする請求項２１又は請求項２２に記載のネットワーク機器。
【発明の詳細な説明】
【技術分野】
【０００１】
本願の実施例は通信分野に関し、より具体的には、通信方法、端末機器及びネットワーク機器に関する。
【背景技術】
【０００２】
移動通信技術が発展しているに伴い、第五世代移動通信（ｆｉｆｔｈ  Ｇｅｎｅｒａｔｉｏｎ、５Ｇ）システムでは、リソースの利用効率を向上させるために、低遅延通信が要求されるサービスとして、例えば、超高信頼・低遅延通信（Ｕｌｔｒａ  Ｒｅｌｉａｂｌｅ  Ｌｏｗ  Ｌａｔｅｎｃｙ  Ｃｏｍｍｕｎｉｃａｔｉｏｎ、ＵＲＬＬＣ）サービスは、元々高度化モバイルブロードバンド（ｅｌｖｏｌｖｅｄ  Ｍｏｂｉｌｅ  Ｂｒｏａｄ  Ｂａｎｄ、ｅＭＢＢ）サービスに割り当てられたリソースをプリエンプトしてデータを伝送することができる。このため、元々ｅＭＢＢサービスに割り当てられたリソースが他のサービスにプリエンプトされることをどのようにして注意させるかは研究する必要がある問題である。
【発明の概要】
【発明が解決しようとする課題】
【０００３】
本願は、占用されたｅＭＢＢリソースを指示する通信方法、端末機器及びネットワーク機器を提供する。
【課題を解決するための手段】
【０００４】
第１態様にて提供される通信方法は、端末機器が予め配置されたタイマーを起動させることと、前記端末機器が前記タイマーのタイミング時間長範囲内に、予め配置された目標周波数領域傍受エリアで、高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられる前記ネットワーク機器から送信されたリソース占用指示情報を傍受することとを含む。
【０００５】
ここで、他のサービスは、低遅延通信が要求されるサービスであってもよく、例えば、ＵＲＬＬＣサービスが挙げられる。
【０００６】
端末機器は、タイマーのタイミング時間長範囲内にリソース指示情報を傍受することにより、端末機器のｅＭＢＢリソースが他のサービスに占用されるか否かを確定でき、これによって端末機器はｅＭＢＢリソースが占用される場合、回避対策をとることができる。また、端末機器はタイミング時間長内にしか指示情報を傍受しないため、端末機器の傍受時間を低減し、端末機器の傍受効率を向上させる。
【０００７】
第１態様において、第１態様の一部実現形態によれば、端末機器が予め配置されたタイマーを起動させることは、前記タイマーのトリガスレッショルドに達する場合、前記端末機器が前記タイマーを起動させることを含む。
【０００８】
トリガスレッショルドを設定することにより、タイマーの起動を柔軟に制御でき、さらに端末機器が何時からリソース占用指示情報を傍受し開始するかを柔軟に制御できる。
【０００９】
第１態様において、第１態様の一部実現形態によれば、前記方法はさらに、前記端末機器が前記タイマーのトリガスレッショルドを配置するために用いられる前記ネットワーク機器から送信された第１指示情報を受信することを含む。
【００１０】
指示情報によりタイマーのトリガスレッショルドを動的に配置できる。また、通信プロセスにおいて、事前に配置されたトリガスレッショルドが要求を満たすことができない場合は、指示情報により、新しいタイマーのトリガスレッショルドを配置できる。
【００１１】
第１態様において、第１態様の一部実現形態によれば、前記タイマーのトリガスレッショルドは前記端末機器が下り制御シグナリングを復調し開始することであり、前記タイマーのトリガスレッショルドに達する場合、前記端末機器が前記タイマーを起動させることは、前記端末機器が下り制御シグナリングを復調し開始すると、前記端末機器が前記タイマーを起動させることを含む。
【００１２】
第１態様において、第１態様の一部実現形態によれば、前記タイマーのトリガスレッショルドは前記端末機器による下りデータ受信がプリセット時間を超えることであり、前記タイマーのトリガスレッショルドに達する場合、前記端末機器が前記タイマーを起動させることは、前記端末機器による下りデータ受信がプリセット時間を超えると、前記端末機器が前記タイマーを起動させることを含む。
【００１３】
第１態様において、第１態様の一部実現形態によれば、前記方法はさらに、前記端末機器が前記タイマーのタイミング時間長を指示するために用いられる前記ネットワーク機器の第２指示情報を受信することを含む。
【００１４】
指示情報によりタイマーのタイミング時間長を柔軟に配置できる。例えば、ネットワーク機器は第２指示情報によりタイマーに１つの初期タイミング時間長を配置でき、そして、ネットワーク機器は端末機器のｅＭＢＢリソースが占用される場合に応じて、端末機器へ第２指示情報を再送信し、タイマーに新しいタイミング時間長を配置することができる。
【００１５】
第１態様において、第１態様の一部実現形態によれば、前記方法はさらに、前記端末機器が目標周波数領域傍受エリアのシステム周波数領域リソースエリアにおける位置を指示するために用いられる前記ネットワーク機器から送信された第３指示情報を受信することを含む。
【００１６】
第３指示情報により目標傍受エリアのある位置を柔軟に配置できる。目標傍受エリアのある位置を変更する必要がある場合は、第３指示情報を再送信することにより新しい目標傍受エリアを配置することができる。
【００１７】
第１態様において、第１態様の一部実現形態によれば、前記方法はさらに、前記端末機器が前記目標周波数領域傍受エリアで前記リソース占用指示情報を傍受した場合、前記端末機器が前記リソース占用指示情報に基づいて前記端末機器のｅＭＢＢリソース中で前記他のサービスに占用された第１リソースを確定することを含む。
【００１８】
端末機器はリソース占用指示情報を傍受した後、占用されたｅＭＢＢリソースを確定でき、これによって端末機器はいくつかの回避対策をとることができ、例えば、復調エラーが現れないように、端末機器は占用されたｅＭＢＢリソース上で受信したｅＭＢＢサービスのデータを復調しない。
【００１９】
第１態様において、第１態様の一部実現形態によれば、前記リソース占用指示情報はさらに、前記他のサービスのサービス情報を指示するために用いられ、前記方法はさらに、前記端末機器が前記他のサービスのサービス情報に基づいて、前記第１リソース中で受信したｅＭＢＢサービスのデータを復調することを含む。
【００２０】
端末機器は他のサービスのサービス情報を参照してｅＭＢＢサービスのデータに対して確実に復調することができる。これは、端末機器が占用されたｅＭＢＢリソースがどのようなサービスに占用されるかを知った後、これらのサービスによるｅＭＢＢサービスに対する影響を判定でき、さらにこれらのサービスによるｅＭＢＢサービスに対する影響を参照してｅＭＢＢサービスのデータを復調することができるためである。
【００２１】
第１態様において、第１態様の一部実現形態によれば、前記サービス情報は前記他のサービスのデータ伝送フォーマット、変調符号化方式、データ伝送のパワー情報のうちの少なくとも１種を含む。
【００２２】
第１態様において、第１態様の一部実現形態によれば、前記リソース占用指示情報は前記他のサービスに占用されたリソースのあるエリアを指示するために用いられる。
【００２３】
リソース占用指示情報は、少ないビットだけで、占用されたリソースの指示を実現でき、シグナリングオーバーヘッドを節約できる。
【００２４】
第１態様において、第１態様の一部実現形態によれば、前記リソース占用指示情報は前記他のサービスに占用されたリソースに含まれる時間周波数リソースブロックを指示するために用いられる。
【００２５】
リソース占用指示情報は、占用されたリソースが具体的にどのような時間周波数リソースブロックを含むかを直接指示でき、占用されたリソースに対する精確な指示を実現する。
【００２６】
第１態様において、第１態様の一部実現形態によれば、前記目標周波数領域傍受エリアは前記ｅＭＢＢリソースのあるリソースエリア外にある。
【００２７】
第１態様において、第１態様の一部実現形態によれば、前記目標周波数領域傍受エリアは前記ｅＭＢＢリソースのあるリソースエリア内にある。
【００２８】
第１態様において、第１態様の一部実現形態によれば、前記端末機器は前記タイマーを再起動させ、前記端末機器は前記タイマーのタイミング時間長範囲内に、前記目標周波数領域傍受エリアで、前記ネットワーク機器から送信されたリソース占用指示情報を再度傍受する。
【００２９】
第１態様において、第１態様の一部実現形態によれば、前記端末機器は前記ネットワーク機器へ前記端末機器のサービス情報、能力情報及びキャッシュ情報のうちの少なくとも１種を送信する。
【００３０】
第２態様にて提供される通信方法は、ネットワーク機器が高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるリソース占用指示情報を確定することと、前記ネットワーク機器が端末機器に予め配置されたタイマーのタイミング時間長範囲内に、目標周波数領域傍受エリアの周波数領域リソース上で、前記端末機器へ前記リソース占用指示情報を送信することとを含む。
【００３１】
上記の他のサービスは、低遅延通信が要求されるサービスであってもよく、例えば、ＵＲＬＬＣサービスが挙げられる。
【００３２】
ネットワーク機器は、タイマーの時間長範囲内に、目標周波数領域傍受エリアで、端末機器へリソース占用指示情報を送信することにより、端末機器がリソース占用指示情報を受信した後にｅＭＢＢリソースが他のサービスに占用されると確定でき、さらに回避対策をとることができるようにさせる。また、ネットワーク機器がタイミング時間長内にしかリソース占用指示情報を送信しないため、端末機器の傍受時間を間接的に低減し、端末機器の傍受効率を向上させる。
【００３３】
第２態様において、第２態様の一部実現形態によれば、前記方法はさらに、前記ネットワーク機器が前記端末機器へ、前記タイマーのトリガスレッショルドを指示するために用いられる第１指示情報を送信することを含む。
【００３４】
ネットワーク機器は第１指示情報により端末機器にタイマーのトリガスレッショルドを柔軟に配置できる。
【００３５】
第２態様において、第２態様の一部実現形態によれば、前記タイマーのトリガスレッショルドは前記端末機器が下り制御シグナリングを復調し開始することである。
【００３６】
第２態様において、第２態様の一部実現形態によれば、前記タイマーのトリガスレッショルドは前記端末機器による下りデータ受信がプリセット時間を超えることである。
【００３７】
第２態様において、第２態様の一部実現形態によれば、前記方法はさらに、前記ネットワーク機器が前記端末機器へ、前記タイマーのタイミング時間長を指示するために用いられる第２指示情報を送信することを含む。
【００３８】
ネットワーク機器は指示情報によりタイマーのタイミング時間長を柔軟に配置できる。具体的には、ネットワーク機器は第２指示情報によりタイマーに１つの初期タイミング時間長を配置でき、そして、ネットワーク機器は端末機器のｅＭＢＢリソースが占用される場合に応じて、端末機器へ第２指示情報を再送信し、タイマーに新しいタイミング時間長を配置することができる。
【００３９】
第２態様において、第２態様の一部実現形態によれば、前記方法はさらに、前記ネットワーク機器が前記端末機器へ、目標周波数領域傍受エリアのシステム周波数領域リソースエリアにおける位置を指示するために用いられる第３指示情報を送信することを含む。
【００４０】
ネットワーク機器は第３指示情報により目標傍受エリアのある位置を柔軟に配置できる。目標傍受エリアのある位置を変更する必要がある場合、第３指示情報を再送信することにより新しい目標傍受エリアを配置することができる。
【００４１】
第２態様において、第２態様の一部実現形態によれば、前記リソース占用指示情報はさらに、前記他のサービスのサービス情報を指示するために用いられる。
【００４２】
第２態様において、第２態様の一部実現形態によれば、前記サービス情報は、前記他のサービスのデータ伝送フォーマット、変調符号化方式、データ伝送のパワー情報のうちの少なくとも１種を含む。
【００４３】
第２態様において、第２態様の一部実現形態によれば、前記リソース占用指示情報は前記他のサービスに占用されたリソースのあるエリアを指示するために用いられる。
【００４４】
第２態様において、第２態様の一部実現形態によれば、前記リソース占用指示情報は前記他のサービスに占用されたリソースに含まれる時間周波数リソースブロックを指示するために用いられる。
【００４５】
第２態様において、第２態様の一部実現形態によれば、前記目標周波数領域傍受エリアは前記ｅＭＢＢリソースのあるリソースエリア外にある。
【００４６】
第２態様において、第２態様の一部実現形態によれば、前記目標周波数領域傍受エリアは前記ｅＭＢＢリソースのあるリソースエリア内にある。
【００４７】
第３態様にて提供される端末機器は、第１態様又はその各種実現形態における方法を実行するために用いられるモジュールを含む。
【００４８】
第４態様にて提供されるネットワーク機器は、第２態様又はその実現形態における方法を実行するために用いられるモジュールを含む。
【００４９】
第５態様にて提供されるコンピュータ読み取り可能な媒体は、端末機器が実行するために用いられるプログラムコードを記憶し、前記プログラムコードは第１態様又はその実現形態における方法を実行するために用いられるコマンドを含む。
【００５０】
第６態様にて提供されるコンピュータ読み取り可能な媒体は、ネットワーク機器が実行するために用いられるプログラムコードを記憶し、前記プログラムコードは第２態様又はその実現形態における方法を実行するために用いられるコマンドを含む。
【００５１】
第７態様にて提供されるシステムチップは、入力インタフェース、出力インタフェース、プロセッサ及びメモリを含み、該プロセッサは該メモリにおけるコードを実行するために用いられ、該コードが実行されると、該プロセッサは前述した第１態様及び各実現形態における方法を実現できる。
【００５２】
第８態様にて提供されるシステムチップは、入力インタフェース、出力インタフェース、プロセッサ及びメモリを含み、該プロセッサは該メモリにおけるコードを実行するために用いられ、該コードが実行されると、該プロセッサは前述した第２態様及び各実現形態における方法を実現できる。
【図面の簡単な説明】
【００５３】
【図１】本願の実施例の可能な応用シナリオを示す図である。
【図２】本願の実施例に係る通信方法を模式的に示すフローチャートである。
【図３】本願の実施例に係るタイマーを示す図である。
【図４】本願の実施例に係るタイマー及び傍受エリアを示す図である。
【図５】本願の実施例に係るタイマー及び傍受エリアを示す図である。
【図６】本願の実施例に係るタイマー及び傍受エリアを示す図である。
【図７】本願の実施例に係る通信方法を模式的に示すフローチャートである。
【図８】本願の実施例に係る端末機器を模式的に示すブロック図である。
【図９】本願の実施例に係るネットワーク機器を模式的に示すブロック図である。
【図１０】本願の実施例に係る端末機器を模式的に示すブロック図である。
【図１１】本願の実施例に係るネットワーク機器を模式的に示すブロック図である。
【図１２】本願の実施例に係るシステムチップを模式的に示すブロック図である。
【発明を実施するための形態】
【００５４】
以下、本願の実施例の図面を参照して、本願の実施例における技術的解決手段について説明する。
【００５５】
本願の実施例の技術的解決手段は、様々な通信システムに用いることができ、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、  ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（ＬｏｎＧ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、又は将来の５Ｇシステム等が挙げられる。
【００５６】
図１は本願の実施例に用いられる無線通信システム１００を示す。該無線通信システム１００は、ネットワーク機器１１０を含んでもよい。ネットワーク機器１１０は端末機器と通信可能な機器であってもよい。ネットワーク機器１１０は、特定の地理上の地域に通信カバレッジを提供でき、該カバレッジ地域内の端末機器（例えばＵＥ）と通信できる。一実施例として、該ネットワーク機器１１０は、ＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける発展型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は、該ネットワーク機器は中継局、アクセスポイント、車載機器、ウェアラブル機器、将来の５Ｇネットワークにおけるネットワーク側機器又は将来に発展していく地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク機器等であってもよい。
【００５７】
該無線通信システム１００はさらに、ネットワーク機器１１０のカバレッジ範囲内に位置する少なくとも１つの端末機器１２０を含む。端末機器１２０は移動型でも固定型でもよい。一実施例として、端末機器１２０はアクセス端末、ユーザー機器（Ｕｓｅｒ  Ｅｑｕｉｐｍｅｎｔ、ＵＥ）、ユーザー単位、加入者局、移動局、モバイルステーション、遠隔局、遠隔端末、移動機器、ユーザー端末、端末、無線通信機器、ユーザーエージェント又はユーザー装置であってもよい。アクセス端末は携帯電話、コードレス電話、セッション確立プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  ＤｉＧｉｔａｌ  Ａｓｓｉｓｔａｎｔ、ＰＤＡ）、無線通信機能を有するるハンドヘルド機器、コンピューティング機器又は無線モデムに接続される他の処理機器、車載機器、ウェアラブル機器、将来の５Ｇネットワークにおける端末機器又は将来に発展していくＰＬＭＮにおける端末機器等であってもよい。
【００５８】
一実施例として、５Ｇシステム又はネットワークは新たな無線（Ｎｅｗ  Ｒａｄｉｏ、ＮＲ）システム又はネットワークとも呼ばれる。
【００５９】
図２は本願の実施例に係る通信方法を模式的に示すフローチャートである。図２の方法２００は２１０と２２０を含む。
【００６０】
２１０、端末機器は予め配置されたタイマーを起動させる。
【００６１】
上記タイマーは、ネットワーク機器が端末機器に予め配置したものであってもよい。例えば、上記タイマーは、ネットワーク機器が端末機器へリソース占用指示情報を送信する前に端末機器に配置したものであってもよい。
【００６２】
一実施例として、端末機器は上記タイマーのトリガスレッショルドに達する場合、上記タイマーを起動させてもよい。
【００６３】
上記のタイマーのトリガスレッショルドは、ネットワーク機器から送信された指示情報を受信することによって確定できる。具体的には、端末機器は前記タイマーのトリガスレッショルドを配置するために用いられるネットワーク機器から送信された第１指示情報を受信する。
【００６４】
また、上記のタイマーのトリガスレッショルドは、ネットワーク機器が端末機器にタイマーを配置すると同時に配置するものであってもよく、又は、ネットワーク機器は端末機器にタイマーを配置する時にタイマーに１つの初期トリガスレッショルドを配置し、そして、ネットワーク機器が新しい指示情報によって端末機器に新しいトリガスレッショルドを配置するようにしてもよい。
【００６５】
一実施例として、上記のタイマーのトリガスレッショルドは、時間トリガスレッショルドであってもよいし、イベントトリガスレッショルドであってもよい。時間トリガスレッショルドとは所定の時間に達すると端末機器がタイマーを起動させることであり、イベントトリガスレッショルドとは特定のイベントが発生すると端末機器もタイマーを起動させることである。
【００６６】
具体的には、上記のタイマーのトリガスレッショルドは端末機器が（ネットワーク機器から送信された）下り制御シグナリングを復調し開始することであってもよい。つまり、端末機器が下り制御シグナリングを復調し開始すると、タイマーが起動する。又は、上記のタイマーのトリガスレッショルドは端末機器が下り制御シグナリングの復調に成功することであってもよく、つまり、端末機器が下り制御シグナリングの復調に成功すると、タイマーが起動する。
【００６７】
また、上記のタイマーのトリガスレッショルドは、端末機器がＮ（Ｎは１以上の整数である）番目のデータ符号を復調し開始することであってもよい。端末機器がＮ番目のデータ符号を復調し開始する場合にも、タイマーが起動される。
【００６８】
また、上記のタイマーのトリガスレッショルドは、端末機器による下りデータ受信がプリセット時間を超えることであってもよい。端末機器による下りデータ受信がプリセット時間を超えた場合にも、タイマーが端末機器によって起動される。
【００６９】
下りデータ受信がプリセット時間を超えることは、端末機器が下りデータを受信し開始してから端末機器が該下りデータを受信したまでプリセット時間を超えることであってもよい。
【００７０】
上記タイマーは１つであってもよいし、複数であってもよく、つまり、ネットワーク機器は１つの端末機器に１つ又は複数のタイマーを配置してもよい。上記タイマーが複数である場合は、これらの複数のタイマーの起動時刻が異なってもよい。
【００７１】
図３に示すように、端末機器に２つのタイマーが予め配置されており、これらの２つのタイマーはそれぞれタイマー１とタイマー２である。タイマー１の起動時刻がタイマー２の起動時刻より早く、タイマー１のタイミング時間長は２つの時間領域ユニットであり、タイマー２のタイミング時間長は３つの時間領域ユニットである。端末機器が下り制御情報の復調に成功すると、タイマー１のトリガスレッショルドがトリガされ、この時、端末機器はタイマー１を起動させる。端末機器が下り制御情報の復調に成功して、４つの時間領域ユニットが経つと、タイマー２がトリガされ、この時、端末機器はタイマー２を起動させる。
【００７２】
２２０、端末機器はタイマーのタイミング時間長範囲内に、予め配置された目標周波数領域傍受エリアで、高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるネットワーク機器から送信されたリソース占用指示情報を傍受する。
【００７３】
上記の他のサービスは低遅延通信が要求されるサービスであってもよく、例えば、ＵＲＬＬＣサービスが挙げられる。
【００７４】
端末機器がＵＲＬＬＣサービスとｅＭＢＢサービスが同時に存在する端末機器である場合、該端末機器のＵＲＬＬＣサービスは、該端末機器に予め割り当てられたｅＭＢＢサービスのｅＭＢＢリソースをプリエンプトしてＵＲＬＬＣサービスのデータを伝送することができる。
【００７５】
上記のタイマーのタイミング時間長は、タイマーの起動からタイマーの失効までの時間長であってもよく、つまり、タイマーが起動すると、端末機器はリソース占用指示情報を傍受し、タイマーが失効すると、端末機器はリソース占用指示情報の傍受を停止する。
【００７６】
一実施例として、端末機器は、上記タイマーのタイミング時間長を指示するために用いられるネットワーク機器から送信された第２指示情報を受信し、該第２指示情報によって上記のタイマーのタイミング時間長を確定することができる。
【００７７】
つまり、ネットワーク機器は上記第２指示情報により、端末機器にタイマーのタイミング時間長を配置できる。
【００７８】
一実施例として、端末機器は、システム周波数領域リソースエリアにおける前記目標周波数領域傍受エリアの位置を指示するために用いられるネットワーク機器から送信された第３指示情報を受信し、該第３指示情報によって目標周波数領域傍受エリアを確定することができる。
【００７９】
一実施例として、図２の方法２００はさらに、端末機器が上記タイマーを再起動させ、該端末機器が上記タイマーのタイミング時間長範囲内に、目標周波数領域傍受エリアで、ネットワーク機器から送信されたリソース占用指示情報を再度傍受することを含む。
【００８０】
場合によって、端末機器はタイマーを再起動させ、タイマーの計時時間範囲内にリソース占用指示情報を再度傍受する必要がある。
【００８１】
例えば、タイマーのタイミング時間長が２ｍｓであれば、端末機器は計時時間がもうすぐ２ｍｓに達してはじめてリソース占用指示情報を受信し開始するが、タイマーの計時時間がもうすぐ２ｍｓに達するため、端末機器は該リソース占用指示情報を順調に受信できないようになる可能性があり、該端末機器が該リソース占用指示情報を受信できることを保証するために、端末機器はタイマーを再起動させる必要があり、これによって、該リソース占用指示情報に対する順調な受信を実現する。
【００８２】
また、場合によって、端末機器が１つのリソース占用指示情報を受信すれば、該端末機器のｅＭＢＢリソースが占用されると意味し、この時、該端末機器のｅＭＢＢリソースが他のサービスに占用される可能性が大きいため、該端末機器は他のリソース占用指示情報を受信する可能性もあり、端末機器が他の機器のリソース占用指示情報を受信できることを保証するために、端末機器はタイマーを再起動させ、リソース占用指示情報を傍受し続ける必要もある。
【００８３】
なお、上記目標周波数領域傍受エリアとタイマーが対応付けられ、各タイマーが１つの目標周波数領域傍受エリアに対応し、異なるタイマーに対応する目標周波数領域傍受エリアは同じであってもよいし、異なってもよい。また、該目標周波数領域傍受エリアはｅＭＢＢスケジューリングリソースのあるリソースエリアに位置してもよいし、ｅＭＢＢスケジューリングリソース以外のリソースのあるリソースエリアに位置してもよい。
【００８４】
また、目標周波数領域傍受エリアは端末機器がリソース占用指示情報を受信するエリアに過ぎず、一般的に、該目標周波数領域傍受エリアは端末機器の最終的に他のサービスに占用されたリソースのあるエリアと異なる。
【００８５】
図４に示すように、端末機器にはタイマー１とタイマー２が配置されており、リソースエリア１は端末機器が下り制御情報を受信する時間周波数リソースのあるエリアであり、端末機器が下り制御情報の復調に成功するとタイマー１が起動し、端末機器が下り制御情報の復調に成功して４つの時間領域ユニットが経つと、タイマー２が起動する。ここで、タイマー１は傍受エリア１に対応し、タイマー２は傍受エリア２に対応し、傍受エリア１と傍受エリア２はいずれもｅＭＢＢスケジューリングリソースのあるエリア内に位置する。
【００８６】
図５は図４と比較すると、２つのタイマーのトリガスレッショルドが同じであるが、タイマー１に対応する傍受エリア１及びタイマー２に対応する傍受エリア２はいずれもｅＭＢＢスケジューリングリソース以外のリソースのあるリソースエリアに位置する。
【００８７】
なお、図４及び図５におけるタイマーと傍受エリアとの対応関係は２種の具体的な場合に過ぎず、実際には、タイマー１及びタイマー２に対応する傍受エリアはさらにｅＭＢＢスケジューリングリソースのあるエリア内及びｅＭＢＢスケジューリングリソースのあるエリア外にそれぞれ位置してもよい。
【００８８】
本願の実施例では、端末機器は、タイマーのタイミング時間長範囲内にリソース指示情報を傍受することにより、端末機器のｅＭＢＢリソースが他のサービスに占用されるか否かを確定でき、これによって端末機器はｅＭＢＢリソースが占用される場合、回避対策をとることができる。また、端末機器はタイミング時間長内にしか指示情報を傍受しないため、端末機器の傍受時間を低減し、端末機器の傍受効率を向上させる。
【００８９】
一実施例として、前記端末機器は前記ネットワーク機器へ前記端末機器のサービス情報、能力情報及びキャッシュ情報のうちの少なくとも１種を送信する。
【００９０】
上記サービス情報は端末機器のサービスタイプを指示する情報であってもよく、上記能力情報は端末機器のデータ処理能力を指示する情報であってもよく、上記キャッシュ情報は端末機器のキャッシュの大きさを指示する情報であってもよい。
【００９１】
ネットワーク機器は複数の端末機器の情報を受信した後、複数の端末に対して優先級を区別できる。例えば、ｅＭＢＢサービスとＵＲＬＬＣサービスが同時に存在する端末機器の優先級は比較的低く、ｅＭＢＢサービスだけが存在する端末機器の優先級は比較的高く、データ処理能力が高い端末機器の優先級は比較的高く、キャッシュが小さい端末機器の優先級が比較的高い。
【００９２】
優先級が比較的高い端末機器はｅＭＢＢリソースが占用された後に該端末機器に対する影響が比較的小さい。このため、ネットワーク機器はＵＲＬＬＣサービスの要請を受信した後に優先級が比較的高い端末機器のｅＭＢＢリソースをＵＲＬＬＣサービスに割り当てる。
【００９３】
ネットワーク機器は優先級が比較的高い端末機器にタイマー及びタイマーに対応する傍受エリアを優先的に配置し、これによって、ネットワーク機器は、ＵＲＬＬＣサービスの要請を受信した後、端末機器に予め配置されたタイマー及びタイマーに対応する傍受エリアに基づいて、タイマーの計時時間範囲内に、傍受エリアに含まれる周波数領域リソース上で、タイマーが配置された端末機器へリソース占用指示情報を送信することができる。
【００９４】
一実施例として、図２の方法２００はさらに以下を含む。
端末機器が目標周波数領域傍受エリアでリソース占用指示情報を傍受した場合、端末機器は該リソース占用指示情報に基づいて、端末機器のｅＭＢＢリソース中で他のサービスに占用された第１リソースを確定する。
【００９５】
端末機器はリソース占用指示情報を傍受した後、占用されたｅＭＢＢリソースを確定でき、これによって端末機器はいくつかの回避対策をとることができ、例えば、復調エラーが現れないように、端末機器は占用されたｅＭＢＢリソース上で受信したｅＭＢＢサービスのデータを復調しない。
【００９６】
図６に示すように、タイマー１を例とし、タイマー１に対応する傍受エリア１は、ｅＭＢＢスケジューリングリソースのあるエリア内にあり、端末機器は、傍受エリア１でネットワーク機器から送信されたリソース占用指示情報を傍受した後に、該リソース占用指示情報に基づいて占用された第１リソースを確定し、第１リソースのあるエリアは図６に示すとおりである。
【００９７】
一実施例として、上記リソース占用指示情報はさらに、他のサービスのサービス情報を指示するために用いられる。図２の方法２００はさらに、端末機器が他のサービスのサービス情報に基づいて、第１リソース中で受信したｅＭＢＢサービスのデータを復調することを含む。
【００９８】
上記の他のサービスのサービス情報は、他のサービスのデータ伝送フォーマット、変調符号化方式、データ伝送のパワー情報のうちの少なくとも１種を含んでもよい。
【００９９】
一実施例として、上記リソース占用指示情報はｅＭＢＢリソースにおける他のサービスに占用されたリソースを指示する場合、他のサービスに占用されたリソースのあるエリアのみを指示してもよい。これによって、リソース占用指示情報は、少ないビットだけで、占用されたリソースの指示を実現でき、シグナリングオーバーヘッドを節約できる。
【０１００】
一実施例として、上記リソース占用指示情報はｅＭＢＢリソースにおける他のサービスに占用されたリソースを指示する場合、さらに、他のサービスに占用されたリソースに含まれる時間周波数リソースブロックを直接指示してもよい。つまり、リソース占用指示情報は、他のサービスに占用されたリソースが具体的にどのような時間周波数リソースブロックを含むかを直接指示し、端末機器の他のサービスに占用されたリソースをより精確に指示でき、これによって端末機器は占用されたリソースに基づいて、合理的な回避対策をとることができる。
【０１０１】
一実施例として、上記目標周波数領域傍受エリアは、ｅＭＢＢリソースのあるリソースエリア内に位置してもよいし、ｅＭＢＢリソースのあるリソースエリア外に位置してもよい。
【０１０２】
以上、図２−図６を参照して、端末機器の角度から、本願の実施例に係る通信方法について詳細に説明し、以下、図７を参照して、ネットワーク機器の角度から、本願の実施例に係る通信方法について説明する。なお、図７におけるネットワーク機器の角度から説明される本願の実施例に係る通信方法は、図２−図６における端末機器の角度から説明される本願の実施例に係る通信方法に対応し、簡単にするため、以下、重複する説明については適宜省略する。
【０１０３】
図７は本願の実施例に係る通信方法を模式的に示すフローチャートである。図７の方法７００は以下を含む。
７１０、ネットワーク機器が、高度化モバイルブロードバンドサービスのｅＭＢＢサービスのスケジューリングに用いられる時間周波数リソースであるｅＭＢＢリソースにおける前記ｅＭＢＢサービスと異なる他のサービスに占用されたリソースを指示するために用いられるリソース占用指示情報を確定する。
７２０、前記ネットワーク機器が、端末機器に予め配置されたタイマーのタイミング時間長範囲内に、目標周波数領域傍受エリアの周波数領域リソース上で、前記端末機器へ前記リソース占用指示情報を送信する。
【０１０４】
本願の実施例では、ネットワーク機器は、タイマーの時間長範囲内に、目標周波数領域傍受エリアで、端末機器へリソース占用指示情報を送信することにより、端末機器がリソース占用指示情報を受信した後にｅＭＢＢリソースが他のサービスに占用されると確定でき、さらに回避対策をとることができるようにさせる。また、ネットワーク機器がタイミング時間長内にしかリソース占用指示情報を送信しないため、端末機器の傍受時間を間接的に低減し、端末機器の傍受効率を向上させる。
【０１０５】
一実施例として、一実施例として、図７の方法７００はさらに、前記ネットワーク機器が前記端末機器へ、前記タイマーのトリガスレッショルドを指示するために用いられる第１指示情報を送信することを含む。
【０１０６】
一実施例として、一実施例として、前記タイマーのトリガスレッショルドは前記端末機器が下り制御シグナリングを復調し開始することである。
【０１０７】
一実施例として、一実施例として、前記タイマーのトリガスレッショルドは前記端末機器による下りデータ受信がプリセット時間を超えることである。
【０１０８】
一実施例として、一実施例として、前記方法はさらに、前記ネットワーク機器が前記端末機器へ、前記タイマーのタイミング時間長を指示するために用いられる第２指示情報を送信することを含む。
【０１０９】
一実施例として、一実施例として、図７の方法７００はさらに、前記ネットワーク機器が前記端末機器へ、目標周波数領域傍受エリアのシステム周波数領域リソースエリアにおける位置を指示するために用いられる第３指示情報を送信することを含む。
【０１１０】
一実施例として、一実施例として、前記リソース占用指示情報はさらに、前記他のサービスのサービス情報を指示するために用いられる。
【０１１１】
一実施例として、一実施例として、前記サービス情報は、前記他のサービスのデータ伝送フォーマット、変調符号化方式、データ伝送のパワー情報のうちの少なくとも１種を含む。
【０１１２】
一実施例として、一実施例として、前記リソース占用指示情報は前記他のサービスに占用されたリソースのあるエリアを指示するために用いられる。
【０１１３】
一実施例として、一実施例として、前記リソース占用指示情報は前記他のサービスに占用されたリソースに含まれる時間周波数リソースブロックを指示するために用いられる。
【０１１４】
一実施例として、一実施例として、前記目標周波数領域傍受エリアは前記ｅＭＢＢリソースのあるリソースエリア外にある。
【０１１５】
一実施例として、一実施例として、前記目標周波数領域傍受エリアは前記ｅＭＢＢリソースのあるリソースエリア内にある。
【０１１６】
以上、図２−図７を参照して、本願の実施例による通信方法について詳細に説明し、以下、図８−図１１を参照して、本願の実施例に係る端末機器とネットワーク機器について説明する。
【０１１７】
なお、図８−図１１に説明される端末機器とネットワーク機器は、図２−図７に説明される通信方法の各ステップを実現でき、簡単にするために、重複する説明については適宜省略する。
【０１１８】
図８は本願の実施例に係る端末機器を模式的に示すブロック図である。図８の端末機器８００は処理モジュール８１０と受信モジュール８２０を含む。
【０１１９】
処理モジュール８１０は、予め配置されたタイマーを起動させるために用いられる。
【０１２０】
受信モジュール８２０は、タイマーのタイミング時間長範囲内に、予め配置された目標周波数領域傍受エリアで、ｅＭＢＢサービスのスケジューリングに用いられる時間周波数リソースであるｅＭＢＢリソースにおける前記ｅＭＢＢサービスと異なる他のサービスに占用されたリソースを指示するために用いられるネットワーク機器から送信されたリソース占用指示情報を傍受するために用いられる。
【０１２１】
一実施例として、処理モジュール８１０は具体的に、前記タイマーのトリガスレッショルドに達する場合、前記タイマーを起動させるために用いられる。
【０１２２】
一実施例として、受信モジュール８２０はさらに、前記タイマーのトリガスレッショルドを配置するために用いられる前記ネットワーク機器から送信された第１指示情報を受信するために用いられる。
【０１２３】
一実施例として、前記タイマーのトリガスレッショルドは、前記端末機器８００が下り制御シグナリングを復調し開始することであり、前記処理モジュール８１０は具体的に、前記端末機器８００が下り制御シグナリングを復調し開始すると、前記タイマーを起動させるために用いられる。
【０１２４】
一実施例として、前記タイマーのトリガスレッショルドは、前記端末機器８００による下りデータ受信がプリセット時間を超えることであり、前記処理モジュール８１０は具体的に、前記端末機器８００による下りデータ受信がプリセット時間を超えると、前記タイマーを起動させるために用いられる。
【０１２５】
一実施例として、前記受信モジュール８２０はさらに、前記タイマーのタイミング時間長を指示するために用いられる前記ネットワーク機器の第２指示情報を受信するために用いられる。
【０１２６】
一実施例として、前記受信モジュール８２０はさらに、目標周波数領域傍受エリアのシステム周波数領域リソースエリアにおける位置を指示するために用いられる前記ネットワーク機器から送信された第３指示情報を受信するために用いられる。
【０１２７】
一実施例として、前記処理モジュール８１０は具体的に、前記目標周波数領域傍受エリアで前記リソース占用指示情報が傍受された場合、前記リソース占用指示情報に基づいて、前記端末機器８００のｅＭＢＢリソース中で前記他のサービスに占用された第１リソースを確定するために用いられる。
【０１２８】
一実施例として、前記リソース占用指示情報はさらに、前記他のサービスのサービス情報を指示するために用いられ、前記処理モジュール８１０はさらに、前記他のサービスのサービス情報に基づいて、前記第１リソース中で受信したｅＭＢＢサービスのデータを復調するために用いられる。
【０１２９】
一実施例として、前記サービス情報は、前記他のサービスのデータ伝送フォーマット、変調符号化方式、データ伝送のパワー情報のうちの少なくとも１種を含む。
【０１３０】
一実施例として、前記リソース占用指示情報は前記他のサービスに占用されたリソースのあるエリアを指示するために用いられる。
【０１３１】
一実施例として、前記リソース占用指示情報は前記他のサービスに占用されたリソースに含まれる時間周波数リソースブロックを指示するために用いられる。
【０１３２】
一実施例として、前記目標周波数領域傍受エリアは前記ｅＭＢＢリソースのあるリソースエリア外にある。
【０１３３】
一実施例として、前記目標周波数領域傍受エリアは前記ｅＭＢＢリソースのあるリソースエリア内にある。
【０１３４】
図９は本願の実施例に係るネットワーク機器を模式的に示すブロック図である。図９のネットワーク機器９００は処理モジュール９１０と送信モジュール９２０を含む。
【０１３５】
処理モジュール９１０は、ｅＭＢＢサービスのスケジューリングに用いられる時間周波数リソースであるｅＭＢＢリソースにおける前記ｅＭＢＢサービスと異なる他のサービスに占用されたリソースを指示するために用いられるリソース占用指示情報を確定するために用いられる。
【０１３６】
送信モジュール９２０は、端末機器に予め配置されたタイマーのタイミング時間長範囲内に、前記目標周波数領域傍受エリアの周波数領域リソース上で、前記端末機器へ前記リソース占用指示情報を送信するために用いられる。
【０１３７】
一実施例として、前記送信モジュール９２０はさらに、前記タイマーのトリガスレッショルドを指示するために用いられる第１指示情報を前記端末機器へ送信するために用いられる。
【０１３８】
一実施例として、前記タイマーのトリガスレッショルドは前記端末機器が下り制御シグナリングを復調し開始することである。
【０１３９】
一実施例として、前記タイマーのトリガスレッショルドは前記端末機器による下りデータ受信がプリセット時間を超えることである。
【０１４０】
一実施例として、前記送信モジュール９２０はさらに、前記端末機器へ前記タイマーのタイミング時間長を指示するために用いられる第２指示情報を送信するために用いられる。
【０１４１】
一実施例として、前記送信モジュール９２０はさらに、前記端末機器へ目標周波数領域傍受エリアのシステム周波数領域リソースエリアにおける位置を指示するために用いられる第３指示情報を送信するために用いられる。
【０１４２】
一実施例として、前記リソース占用指示情報はさらに、前記他のサービスのサービス情報を指示するために用いられる。
【０１４３】
一実施例として、前記サービス情報は、前記他のサービスのデータ伝送フォーマット、変調符号化方式、データ伝送のパワー情報のうちの少なくとも１種を含む。
【０１４４】
一実施例として、前記リソース占用指示情報は前記他のサービスに占用されたリソースのあるエリアを指示するために用いられる。
【０１４５】
一実施例として、前記リソース占用指示情報は前記他のサービスに占用されたリソースに含まれる時間周波数リソースブロックを指示するために用いられる。
【０１４６】
一実施例として、前記目標周波数領域傍受エリアは前記ｅＭＢＢリソースのあるリソースエリア外にある。
【０１４７】
一実施例として、前記目標周波数領域傍受エリアは前記ｅＭＢＢリソースのあるリソースエリア内にある。
【０１４８】
図１０は本願の実施例に係る端末機器を模式的に示すブロック図である。図１０の端末機器１０００はプロセッサ１０１０と送受信器１０２０を含む。
【０１４９】
プロセッサ１０１０は、予め配置されたタイマーを起動させるために用いられる。
【０１５０】
送受信器１０２０は、前記タイマーのタイミング時間長範囲内に、予め配置された目標周波数領域傍受エリアで、ｅＭＢＢサービスのスケジューリングに用いられる時間周波数リソースであるｅＭＢＢリソースにおける前記ｅＭＢＢサービスと異なる他のサービスに占用されたリソースを指示するために用いられるネットワーク機器から送信されたリソース占用指示情報を傍受するために用いられる。
【０１５１】
一実施例として、前記プロセッサ１０１０は具体的に、前記タイマーのトリガスレッショルドに達する場合、前記タイマーを起動させるために用いられる。
【０１５２】
一実施例として、前記送受信器１０２０はさらに、前記タイマーのトリガスレッショルドを配置するために用いられる前記ネットワーク機器から送信された第１指示情報を受信するために用いられる。
【０１５３】
一実施例として、前記タイマーのトリガスレッショルドは、前記端末機器１０００が下り制御シグナリングを復調し開始することであり、前記プロセッサ１０１０は具体的に、前記端末機器１０００が下り制御シグナリングを復調し開始すると、前記タイマーを起動させるために用いられる。
【０１５４】
一実施例として、前記タイマーのトリガスレッショルドは、前記端末機器１０００による下りデータ受信がプリセット時間を超えることであり、前記プロセッサ１０１０は具体的に、前記端末機器１０００による下りデータ受信がプリセット時間を超えると、前記タイマーを起動させるために用いられる。
【０１５５】
一実施例として、前記送受信器１０２０はさらに、前記タイマーのタイミング時間長を指示するために用いられる前記ネットワーク機器の第２指示情報を受信するために用いられる。
【０１５６】
一実施例として、前記送受信器１０２０はさらに、目標周波数領域傍受エリアのシステム周波数領域リソースエリアにおける位置を指示するために用いられる前記ネットワーク機器から送信された第３指示情報を受信するために用いられる。
【０１５７】
一実施例として、前記プロセッサ１０１０は具体的に、前記目標周波数領域傍受エリアで前記リソース占用指示情報が傍受された場合、前記リソース占用指示情報に基づいて、前記端末機器１０００のｅＭＢＢリソース中で前記他のサービスに占用された第１リソースを確定するために用いられる。
【０１５８】
一実施例として、前記リソース占用指示情報はさらに、前記他のサービスのサービス情報を指示するために用いられ、前記プロセッサ１０１０はさらに、前記他のサービスのサービス情報に基づいて、前記第１リソース中で受信したｅＭＢＢサービスのデータを復調するために用いられる。
【０１５９】
一実施例として、前記サービス情報は、前記他のサービスのデータ伝送フォーマット、変調符号化方式、データ伝送のパワー情報のうちの少なくとも１種を含む。
【０１６０】
一実施例として、前記リソース占用指示情報は前記他のサービスに占用されたリソースのあるエリアを指示するために用いられる。
【０１６１】
一実施例として、前記リソース占用指示情報は前記他のサービスに占用されたリソースに含まれる時間周波数リソースブロックを指示するために用いられる。
【０１６２】
一実施例として、前記目標周波数領域傍受エリアは前記ｅＭＢＢリソースのあるリソースエリア外にある。
【０１６３】
一実施例として、前記目標周波数領域傍受エリアは前記ｅＭＢＢリソースのあるリソースエリア内にある。
【０１６４】
図１１は本願の実施例に係るネットワーク機器を模式的に示すブロック図である。図１１のネットワーク機器１１００はプロセッサ１１１０と送受信器１１２０を含む。
【０１６５】
プロセッサ１１１０は、ｅＭＢＢサービスのスケジューリングに用いられる時間周波数リソースであるｅＭＢＢリソースにおける前記ｅＭＢＢサービスと異なる他のサービスに占用されたリソースを指示するために用いられるリソース占用指示情報を確定するために用いられる。
【０１６６】
送受信器１１２０は、端末機器に予め配置されたタイマーのタイミング時間長範囲内に、前記目標周波数領域傍受エリアの周波数領域リソース上で、前記端末機器へ前記リソース占用指示情報を送信するために用いられる。
【０１６７】
一実施例として、前記送受信器１１２０はさらに、前記タイマーのトリガスレッショルドを指示するために用いられる第１指示情報を前記端末機器へ送信するために用いられる。
【０１６８】
一実施例として、前記タイマーのトリガスレッショルドは前記端末機器が下り制御シグナリングを復調し開始することである。
【０１６９】
一実施例として、前記タイマーのトリガスレッショルドは前記端末機器による下りデータ受信がプリセット時間を超えることである。
【０１７０】
一実施例として、前記送受信器１１２０はさらに、前記端末機器へ前記タイマーのタイミング時間長を指示するために用いられる第２指示情報を送信するために用いられる。
【０１７１】
一実施例として、前記送受信器１１２０はさらに、前記端末機器へ目標周波数領域傍受エリアのシステム周波数領域リソースエリアにおける位置を指示するために用いられる第３指示情報を送信するために用いられる。
【０１７２】
一実施例として、前記リソース占用指示情報はさらに、前記他のサービスのサービス情報を指示するために用いられる。
【０１７３】
一実施例として、前記サービス情報は、前記他のサービスのデータ伝送フォーマット、変調符号化方式、データ伝送のパワー情報のうちの少なくとも１種を含む。
【０１７４】
一実施例として、前記リソース占用指示情報は前記他のサービスに占用されたリソースのあるエリアを指示するために用いられる。
【０１７５】
一実施例として、前記リソース占用指示情報は前記他のサービスに占用されたリソースに含まれる時間周波数リソースブロックを指示するために用いられる。
【０１７６】
一実施例として、前記目標周波数領域傍受エリアは前記ｅＭＢＢリソースのあるリソースエリア外にある。
【０１７７】
一実施例として、前記目標周波数領域傍受エリアは前記ｅＭＢＢリソースのあるリソースエリア内にある。
【０１７８】
図１２は本願の実施例に係るシステムチップの構成を模式的に示す図である。図１２のシステムチップ１２００は、入力インタフェース１２０１、出力インタフェース１２０２、プロセッサ１２０３及びメモリ１２０４を含み、前記プロセッサ１２０３とメモリ１２０４との間はバス１２０５によって接続され、前記プロセッサ１２０３は前記メモリ１２０４におけるコードを実行するために用いられる。
【０１７９】
一実施例として、前記コードが実行される時、前記プロセッサ１２０３は本願の方法の実施例における端末機器によって実行される方法を実現する。簡単にするために、ここで説明を省略する。
【０１８０】
一実施例として、前記コードが実行される時、前記プロセッサ１２０３は方法の実施例におけるネットワーク機器によって実行される方法を実現する。簡単にするために、ここで説明を省略する。
【０１８１】
当業者であれば、本明細書に開示されている実施例に説明される各例のユニット及びアルゴリズムステップは、電子ハードウェア、又はコンピュータソフトウェアと電子ハードウェアとの組み合わせによって実現できることを認識し得る。これらの機能がハードウェアで実行するか、又はソフトウェアで実行するかは、技術的解決手段の特定の応用及び設計規約によって決められる。当業者は、説明される機能を実現するように、それぞれの特定の応用に対して異なる方法を用いてもよいが、これは本願の範囲を超えると考えられるべきではない。
【０１８２】
当業者であれば明確に把握し得るように、説明を便利且つ簡単にするために、以上説明されるシステム、装置及びユニットの具体的な動作プロセスについては、前述した方法の実施例における対応するプロセスを参照してもよく、ここで説明を省略する。
【０１８３】
なお、本願にて提供されるいくつかの実施例では、開示されているシステム、装置及び方法は、他の方式によって実現できる。例えば、以上説明される装置の実施例は例として提示したものであり、例えば、前記ユニットは論理的機能によって区別したものであるが、実際に実現する際に、別の区別方式を用いてもよく、例えば、複数のユニットや構成要素は組み合わせたり別のシステムに集積したりしてもよく、又は、いくつかの特徴は無視したり実行しなかったりしてもよい。また、表示又は検討される相互間のカップリング、直接カップリング、又は通信接続は、いくつかのインタフェース、装置又はユニットによる間接カップリング又は通信接続であってもよく、電気的、機械的又は他の形式によるものであってもよい。
【０１８４】
分離した部材として説明された前記ユニットは物理的に分離しているものであってもよいしそうでなくてもよく、ユニットとして表示されたユニットは物理的ユニットであってもよいしそうでなくてもよく、即ち、1つの場所に位置してもよく、複数のネットワークユニットに分散してもよい。実際のニーズに基づいて、そのうち一部又はすべてのユニットを用いて本実施例の態様の目的を実現してもよい。
【０１８５】
また、本願の実施例における各機能ユニットは1つの処理ユニットに集積してもよく、各ユニットは単独な物理的存在としてもよく、２つ以上のユニットは１つのユニットに集積してもよい。
【０１８６】
前記機能はソフトウェア機能ユニットの形態として実現して独立した製品として販売又は使用する場合、１つのコンピュータの読み取り可能な記憶媒体に記憶してもよい。
このような理解に基づいて、本願の技術的解決手段の本質又は従来技術に寄与する部分又は該技術的解決手段の部分はソフトウェア製品の形態で具現化してもよく、該コンピュータソフトウェア製品は１つの記憶媒体に記憶され、複数のコマンドを含むことにより、１台のコンピュータ機器（パーソナルコンピュータ、サーバー、又はネットワーク機器等であってもよい）に本願の実施例に記載の方法のすべて又は一部のステップを実行させる。前記記憶媒体は、ＵＳＢメモリ、リムーバブルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等、プログラムコードを記憶できる様々な媒体を含む。
【０１８７】
以上の内容は、本願の具体的な実施形態に過ぎず、本願の範囲はこれに制限されるものではなく、当業者であれば、本願にて開示されている技術的範囲内に、想到し得る変化や置換はいずれも本願の保護範囲に属する。このため、本願の範囲は特許請求の範囲に示される。
【図１】
0006917460.tif 000002
【図２】
0006917460.tif 000003
【図３】
0006917460.tif 000004
【図４】
0006917460.tif 000005
【図５】
0006917460.tif 000006
【図６】
0006917460.tif 000007
【図７】
0006917460.tif 000008
【図８】
0006917460.tif 000009
【図９】
0006917460.tif 000010
【図１０】
0006917460.tif 000011
【図１１】
0006917460.tif 000012
【図１２】
0006917460.tif 000013